【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
光源手段と、該光源手段から放射された光束を偏向反射する偏向器と、該偏向器の偏向面で偏向反射した光束を被走査面上に結像させる少なくとも１枚の走査光学素子を有する走査光学手段をと、を備えた光走査装置において、
前記走査光学手段を構成する最も被走査面に近い走査光学素子と該偏向器の光路の間に光量低下手段を設け、該光量低下手段は、該光量低下手段に入射する入射光束を７０％以下に低下させて出射することを特徴とする光走査装置。
【請求項２】
複数の光源手段と、複数の偏向面を有する偏向器と、該複数の光源手段から放射された複数の光束を異なる偏向面で偏向反射する該偏向器と、該異なる偏向面で偏向反射した複数の光束毎に設けられた少なくとも１枚の走査光学素子を有する走査光学手段と、を備え、該複数の走査光学手段の各々は異なる被走査面上に光束を結像させる光走査装置において、
前記走査光学手段を構成する最も被走査面に近い走査光学素子と該偏向器の光路の間に光量低下手段を設け、該光量低下手段は、該光量低下手段に入射する入射光束を７０％以下に低下させて出射することを特徴とする光走査装置。
【請求項３】
前記光量低下手段は、該光量低下手段に入射する入射光束を３０％〜７０％に低下させて出射することを特徴とする請求項１又は２記載の光走査装置。
【請求項４】
前記光量低下手段は、反射面に光学薄膜を施した折り返しミラーより成ることを特徴とする請求項１乃至３の何れか一項記載の光走査装置。
【請求項５】
前記光学薄膜はクロムをベース材料にしていることを特徴とする請求項４記載の光走査装置。
【請求項６】
前記光量低下手段は、ＮＤフィルターより成ることを特徴とする請求項１乃至３の何れか一項記載の光走査装置。
【請求項７】
前記光量低下手段は、光学面に透過率を低下させる光学薄膜を施した光学素子より成ることを特徴とする請求項６記載の光走査装置。
【請求項８】
複数の光源手段と、複数の偏向面を有する偏向器と、該複数の光源手段から放射された複数の光束を異なる偏向面で偏向反射する該偏向器と、該異なる偏向面で偏向反射した複数の光束毎に設けられた少なくとも１枚の走査光学素子を有する走査光学手段と、を備え、該複数の走査光学手段の各々は異なる被走査面上に光束を結像させる光走査装置において、
前記複数の走査光学手段の各々は、該走査光学手段の光軸方向において前記偏向器を挟んで対向する位置に配置された走査光学素子の間に遮光部材を配置されており、該遮光部材は、前記被走査面上に到達する有効光束が通過する領域まで主走査方向に延長して配置され、該有効光束がケラレないように切り欠き部を有していることを特徴とする光走査装置。
【請求項９】
前記切り欠き部の形状は、コの字型より成ることを特徴とする請求項８記載の光走査装置。
【請求項１０】
前記切り欠き部の形状は、Ｖ字型より成ることを特徴とする請求項９記載の光走査装置。
【請求項１１】
前記切り欠き部の副走査方向の開口の最大幅をｈ（ｍｍ）とするとき、
０．５（ｍｍ）≦ｈ≦２．０（ｍｍ）
なる条件を満足することを特徴とする請求項８乃至１０の何れか１項に記載の光走査装置。
【請求項１２】
前記走査光学手段は、前記走査光学素子を複数有し、該複数の走査光学素子のうち少なくとも１つは副走査方向に傾いて配置されていることを特徴とする請求項８乃至１１の何れか１項に記載の光走査装置。
【請求項１３】
請求項１乃至１２の何れか１項の光走査装置を用いて、前記被走査面上に設けた感光ドラムに光束を導光することを特徴とする画像形成装置。
【請求項１４】
外部機器から入力した色信号を異なった色の画像データに変換して各々の光走査装置に入力せしめるプリンタコントローラを有していることを特徴とする請求項１３記載の画像形成装置。
【手続補正２】
【補正対象書類名】明細書
【補正対象項目名】００２４
【補正方法】変更
【補正の内容】
【００２４】
請求項１の発明の光走査装置は、光源手段と、該光源手段から放射された光束を偏向反射する偏向器と、該偏向器の偏向面で偏向反射した光束を被走査面上に結像させる少なくとも１枚の走査光学素子を有する走査光学手段をと、を備えた光走査装置において、
前記走査光学手段を構成する最も被走査面に近い走査光学素子と該偏向器の光路の間に光量低下手段を設け、該光量低下手段は、該光量低下手段に入射する入射光束を７０％以下に低下させて出射することを特徴としている。
【手続補正３】
【補正対象書類名】明細書
【補正対象項目名】００２５
【補正方法】変更
【補正の内容】
【００２５】
請求項２の発明の光走査装置は、複数の光源手段と、複数の偏向面を有する偏向器と、該複数の光源手段から放射された複数の光束を異なる偏向面で偏向反射する該偏向器と、該異なる偏向面で偏向反射した複数の光束毎に設けられた少なくとも１枚の走査光学素子を有する走査光学手段と、を備え、該複数の走査光学手段の各々は異なる被走査面上に光束を結像させる光走査装置において、
前記走査光学手段を構成する最も被走査面に近い走査光学素子と該偏向器の光路の間に光量低下手段を設け、該光量低下手段は、該光量低下手段に入射する入射光束を７０％以下に低下させて出射することを特徴としている。
【手続補正４】
【補正対象書類名】明細書
【補正対象項目名】００２６
【補正方法】変更
【補正の内容】
【００２６】
請求項３の発明は、請求項１又は２の発明において、前記光量低下手段は、該光量低下手段に入射する入射光束を３０％〜７０％に低下させて出射することを特徴としている。
【手続補正５】
【補正対象書類名】明細書
【補正対象項目名】００２７
【補正方法】変更
【補正の内容】
【００２７】
請求項４の発明は、請求項１乃至３のいずれか１項の発明において、前記光量低下手段は、反射面に光学薄膜を施した折り返しミラーより成ることを特徴としている。
【手続補正６】
【補正対象書類名】明細書
【補正対象項目名】００２８
【補正方法】変更
【補正の内容】
【００２８】
請求項５の発明は、請求項４の発明において、前記光学薄膜はクロムをベース材料にしていることを特徴としている。
【手続補正７】
【補正対象書類名】明細書
【補正対象項目名】００２９
【補正方法】変更
【補正の内容】
【００２９】
請求項６の発明は、請求項１乃至３のいずれか１項の発明において、前記光量低下手段は、ＮＤフィルターより成ることを特徴としている。
【手続補正８】
【補正対象書類名】明細書
【補正対象項目名】００３０
【補正方法】変更
【補正の内容】
【００３０】
請求項７の発明は、請求項６の発明において、前記光量低下手段は、光学面に透過率を低下させる光学薄膜を施した光学素子より成ることを特徴としている。
【手続補正９】
【補正対象書類名】明細書
【補正対象項目名】００３１
【補正方法】変更
【補正の内容】
【００３１】
請求項８の発明の光走査装置は、複数の光源手段と、複数の偏向面を有する偏向器と、該複数の光源手段から放射された複数の光束を異なる偏向面で偏向反射する該偏向器と、該異なる偏向面で偏向反射した複数の光束毎に設けられた少なくとも１枚の走査光学素子を有する走査光学手段と、を備え、該複数の走査光学手段の各々は異なる被走査面上に光束を結像させる光走査装置において、
前記複数の走査光学手段の各々は、該走査光学手段の光軸方向において前記偏向器を挟んで対向する位置に配置された走査光学素子の間に遮光部材を配置されており、該遮光部材は、前記被走査面上に到達する有効光束が通過する領域まで主走査方向に延長して配置され、該有効光束がケラレないように切り欠き部を有していることを特徴としている。
【手続補正１０】
【補正対象書類名】明細書
【補正対象項目名】００３２
【補正方法】変更
【補正の内容】
【００３２】
請求項９の発明は、請求項８の発明において、前記切り欠き部の形状は、コの字型より成ることを特徴としている。
【手続補正１１】
【補正対象書類名】明細書
【補正対象項目名】００３３
【補正方法】変更
【補正の内容】
【００３３】
請求項１０の発明は、請求項９の発明において、前記切り欠き部の形状は、Ｖ字型より成ることを特徴としている。
【手続補正１２】
【補正対象書類名】明細書
【補正対象項目名】００３４
【補正方法】変更
【補正の内容】
【００３４】
請求項１１の発明は、請求項８乃至１０のいずれか１項の前記切り欠き部の副走査方向の開口の最大幅をｈ（ｍｍ）とするとき、
０．５（ｍｍ）≦ｈ≦２．０（ｍｍ）
なる条件を満足することを特徴としている。
【手続補正１３】
【補正対象書類名】明細書
【補正対象項目名】００３５
【補正方法】変更
【補正の内容】
【００３５】
請求項１２の発明は、請求項８乃至１１のいずれか１項の前記走査光学手段は、前記走査光学素子を複数有し、該複数の走査光学素子のうち少なくとも１つは副走査方向に傾いて配置されていることを特徴としている。
【手続補正１４】
【補正対象書類名】明細書
【補正対象項目名】００３６
【補正方法】変更
【補正の内容】
【００３６】
請求項１３の発明の画像形成装置は、請求項１乃至１２の何れか１項の光走査装置を用いて、前記被走査面上に設けた感光ドラムに光束を導光することを特徴としている。
【手続補正１５】
【補正対象書類名】明細書
【補正対象項目名】００３７
【補正方法】変更
【補正の内容】
【００３７】
請求項１４の発明は、請求項１３の発明において、外部機器から入力した色信号を異なった色の画像データに変換して各々の光走査装置に入力せしめるプリンタコントローラを有していることを特徴としている。
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】